(57)【特許請求の範囲】
【請求項１】
撮像素子と、
前記撮像素子からの画像信号を所定の処理によってアナログ信号処理を行うアナログ画像信号処理回路と、
前記アナログ画像信号処理回路によって処理された画像信号をＡ／Ｄ変換するＡ／Ｄコンバータと、
撮影時には、前記Ａ／Ｄコンバータから出力された画像信号を所定の処理によってデジタル信号処理を行い、再生時には、記憶手段から読み出された画像データを所定の処理によってデジタル信号処理を行うデジタル画像信号処理回路と、
前記デジタル信号処理回路によって所定の処理が実行された画像信号の表示処理を行う表示処理回路と、
少なくとも前記撮像素子、前記アナログ画像信号処理回路、前記Ａ／Ｄコンバータおよび前記デジタル画像信号処理回路のそれぞれに対して所定のクロックパルスを生成する第１のクロックパルス生成手段と、
少なくとも前記表示処理回路および前記デジタル画像信号処理回路のそれぞれに対して所定のクロックパルスを生成する第２のクロックパルス生成手段と、
撮影時には、前記デジタル画像信号処理回路へ電力を供給し、再生時には、前記表示処理回路および前記デジタル画像信号処理回路へ電力を供給すると共に、前記撮像素子、前記アナログ画像信号処理回路、前記Ａ／Ｄコンバータおよび前記第１のクロックパルス生成手段への電力の供給を遮断する電力供給手段とを備え、前記デジタル画像信号処理回路は、撮影時には前記第１のクロックパルス生成手段により供給されるクロックパルスを用いて動作し、再生時には前記第２のクロックパルス生成手段により供給されるクロックパルスを用いて動作することを特徴とする撮像装置。
【請求項２】
請求項１において、さらに、所定の周期のクロックパルスを発振する発振器と、前記発振器によって発振されたクロックパルスを分周しかつ位相の調整を実行する分周位相調整手段とを備え、前記第１のクロックパルス生成手段は、前記分周位相調整手段によって出力されたクロックパルスに基づいて前記撮像素子、前記アナログ画像信号処理回路、前記Ａ／Ｄコンバータおよび前記デジタル画像信号処理回路のそれぞれに対して所定のクロックパルスを生成するように構成されていることを特徴とする撮像装置。
【発明の詳細な説明】
【０００１】
【発明の属する技術分野】
本発明は、例えば、デジタルスチルカメラなどに用いて好適な撮像装置に関するものである。
【０００２】
【従来の技術】
図４は、従来のデジタルスチルカメラのシステムブロック図である。図４において、９０７はＣＣＤなどの撮像素子であり、アナログ画像信号処理回路９０８は、サンプルホールド回路、ローパスフィルター、ゲインコントロール回路などによって構成され、撮像素子からの出力信号を適正化する。Ａ／Ｄコンバータ９０９は、アナログ画像信号処理回路９０８によって処理された画像信号をデジタル画像信号に変換する。また、デジタル画像信号処理回路９１０は、Ａ／Ｄコンバータ９０９から出力されたデジタル画像信号を規格化された輝度色差画像データに変換処理する。ＲＡＭ９１３は、半導体などによって構成され、デジタル画像信号処理回路９１０によって処理されたデジタル画像信号（静止画信号）を使用者からの指示タイミングによって記憶する。
【０００３】
表示部９１４は、ＬＣＤなどによって構成され、撮像素子９０７によって現在撮像中の動画像あるいはＲＡＭ９１３によって記憶された静止画像を表示する。動画表示回路９１１は、撮像素子９０７によって現在撮像中の画像信号を連続的に表示部９１４に動画像表示させる処理を行う。また、静止画表示回路９１２は、ＲＡＭ９１３によって記憶された静止画像を表示部９１４において表示させる処理を行う。
【０００４】
水晶発振器９０１は、システム全体の動作基準となるクロック信号を生成する。タイミングジェネレータ９０３は、フリップフロップを用いたゲート回路によって構成され、撮像素子９０７から画像データを読み出すために必要な水平転送パルスおよび垂直転送パルス信号などの読み出しクロック、デジタル画像信号処理回路９１０および動画表示回路９１１、静止画表示回路９１２において画像データを取り込んだり出力したりするときの基準となる画素クロック、アナログ画像信号処理回路９０８が有するサンプルホールド回路のサンプルホールドタイミング信号、Ａ／Ｄコンバータ９０９のサンプルタイミングとなるＡ／Ｄクロックを生成し、それぞれのクロック信号の位相関係が一意に決定されるように構成されている。なお、図４の構成においては画素クロックとＡ／Ｄクロックは共通化されている。
【０００５】
上述したような図４に示す従来の撮像装置の構成において、ＲＡＭ９１３に記憶された静止画像を表示する場合においても、実際には動作を実行する必要のない撮像素子９０７およびアナログ画像信号処理回路９０８およびＡ／Ｄコンバータ９０９にも電力を供給しており、電力を浪費していた。また、タイミングジェネレータ９０３は、記憶された画像を再生する場合においても撮像素子９０３，アナログ画像信号処理回路９０８，およびＡ／Ｄコンバータ９０９の各処理ブロックに対するクロックを生成しなければならず、このようなことによっても電力を浪費すること結果となっていた。
【０００６】
このような図４の撮像装置のシステム構成の問題を解決するため、図５に示す撮像装置のシステム構成が提案されている。図５の撮像装置の構成において、分周器９０３ａは、画素クロックを生成して、デジタル画像信号処理回路９１０、動画表示回路９１１、静止画表示回路９１２など画像表示を行うための表示系に出力する。タイミングジェネレータ９０３は、撮像素子９０７、アナログ画像信号処理回路９０８、Ａ／Ｄコンバータ９０９などの撮像系に対してクロックを生成している。このような図５のシステム構成によってメモリに記憶された静止画像を表示するときにはタイミングジェネレータ９０３、撮像素子９０７、アナログ画像信号処理回路９０８、Ａ／Ｄコンバータ９０９などの撮像系に対する電力の供給を停止して節電を実行することができる。
【０００７】
ここで、タイミングジェネレータ９０３、分周器９０３ａによって生成されるクロックの位相は、それぞれ電力が供給されたときのタイミングに応じて決定される。すなわち、図５におけるシステムの撮像系と表示系との電力供給タイミングは撮像または表示などの撮像装置の動作モードに応じて互いに独立して制御されており、タイミングジェネレータ９０３の出力する各クロックと分周器９０３ａの出力する画素クロックは、電力供給時の水晶発振器９０１のパルス出力に応じて決定されるため、それらの位相関係は一意に決定されない。タイミングジェネレータ９０３、９０３ａの各出力クロックの位相関係は、例えば図７（ａ），（ｂ）に示すような２通りの場合のクロックタイミングが考えられる。
【０００８】
図７（ａ），（ｂ）において、Ａは、水晶発振器９０１の出力信号であり、Ｂは、タイミングジェネレータ９０３が撮像素子９０７に対して画素データの読み出し指令を行う読み出しクロックである。また、Ｃは、Ａ／Ｄコンバータ９０９からデジタル画像信号処理回路９１０に出力される画素データであり、ＢとＣの位相関係はタイミングジェネレータ９０３によって一意に決定される。また、Ｄは、分周器９０３ａによって生成された画素クロックであるため、ＢおよびＣに対する位相関係は一意に決定されない。
【０００９】
ここで、図５のデジタル画像信号処理回路９１０においては画素クロックＤが立ち下がりの瞬間に画素データをサンプリングするように設計されているものとする。
【００１０】
図７（ａ）の場合において、矢印で示した画素クロックＤの立ち下がりの瞬間に画素データがデジタル画像信号処理回路９１０に取り込まれているので、適切に画素データをサンプリングすることができる。一方、図７（ｂ）の場合においては、矢印で示した画素クロックＤの立ち下がりの瞬間には、画素データが変化している最中であるので適切に画素データをサンプリングすることができない。
【００１１】
このように、図５のシステムにおいては、撮像系と表示系の電力の供給をそれぞれ別々に供給したが、それらの電源供給タイミングによっては画素データを適切にサンプリングできないおそれがあった。
【００１２】
【発明が解決しようとする課題】
上述した問題を解決するため、本発明は、節電を実行しかつ、適切な画像処理を行うことのできる撮像装置を提供することを目的とする。
【００１３】
【課題を解決するための手段】
上述した目的を達成するために、本願の請求項１に係る発明によれば、撮像素子と、前記撮像素子からの画像信号を所定の処理によってアナログ信号処理を行うアナログ画像信号処理回路と、前記アナログ画像信号処理回路によって処理された画像信号をＡ／Ｄ変換するＡ／Ｄコンバータと、撮影時には、前記Ａ／Ｄコンバータから出力された画像信号を所定の処理によってデジタル信号処理を行い、再生時には、記憶手段から読み出された画像データを所定の処理によってデジタル信号処理を行うデジタル画像信号処理回路と、前記デジタル信号処理回路によって所定の処理が実行された画像信号の表示処理を行う表示処理回路と、少なくとも前記撮像素子、前記アナログ画像信号処理回路、前記Ａ／Ｄコンバータおよび前記デジタル画像信号処理回路のそれぞれに対して所定のクロックパルスを生成する第１のクロックパルス生成手段と、少なくとも前記表示処理回路および前記デジタル画像信号処理回路のそれぞれに対して所定のクロックパルスを生成する第２のクロックパルス生成手段と、撮影時には、前記デジタル画像信号処理回路へ電力を供給し、再生時には、前記表示処理回路および前記デジタル画像信号処理回路へ電力を供給すると共に、前記撮像素子、前記アナログ画像信号処理回路、前記Ａ／Ｄコンバータおよび前記第１のクロックパルス生成手段への電力の供給を遮断する電力供給手段とを備え、前記デジタル画像信号処理回路は、撮影時には前記第１のクロックパルス生成手段により供給されるクロックパルスを用いて動作し、再生時には前記第２のクロックパルス生成手段により供給されるクロックパルスを用いて動作することを特徴とする。
【００１６】
また、請求項２に係る発明によれば、請求項１において、さらに、所定の周期のクロックパルスを発振する発振器と、前記発振器によって発振されたクロックパルスを分周しかつ位相の調整を実行する分周位相調整手段とを備え、前記第１のクロックパルス生成手段は、前記分周位相調整手段によって出力されたクロックパルスに基づいて前記撮像素子、前記アナログ画像信号処理回路、前記Ａ／Ｄコンバータおよび前記デジタル画像信号処理回路のそれぞれに対して所定のクロックパルスを生成するように構成されていることを特徴とする。
【００１７】
【発明の実施の形態】
以下、添付の図面に沿って本発明の実施の形態を説明する。
【００１８】
（第１の実施の形態）
図１は、本実施の形態の撮像装置の構成ブロック図である。なお本実施の形態の撮像装置の動作処理は、不図示のシステムコントロール回路によって行われるものとする。なお、本実施の形態の撮像装置においてはデジタルスチルカメラを例に説明するが、動画を記録する撮像装置についても本実施の形態を適用することができる。
【００１９】
図１において、１０７はＣＣＤなどの撮像素子であり、アナログ画像信号処理回路１０８は、サンプルホールド回路、ローパスフィルター、ゲインコントロール回路などによって構成され、撮像素子からの出力信号を適正化する。Ａ／Ｄコンバータ１０９は、アナログ画像信号処理回路１０８によって処理された画像信号をデジタル画像信号に変換する。また、デジタル画像信号処理回路１１０は、Ａ／Ｄコンバータ１０９から出力されたデジタル画像信号を規格化された輝度色差画像データに変換処理する。ＲＡＭ１１３は、デジタル画像信号処理回路１１０によって処理されたデジタル画像信号（静止画信号）を一時記憶するためのものであり、使用者からの指示タイミングによって後述の外部記憶装置１１６に画像ファイルを書き込む。
【００２０】
ここで、デジタル信号処理回路１１０の構成を図８に示す。フリップフロップ２０１は、多ビットのフリップフロップ回路で、後述の画素クロックの入力タイミングに同期して画素データをサンプリングする。輝度色差変換処理ブロック２０２は、フリップフロップ２０１によってサンプリングされた画素データを所定の規格化された輝度色差データに変換する。
【００２１】
ここで、撮像モードにおいて、輝度色差変換処理ブロック２０２が生成した輝度色差データは、動画表示回路に出力される。特に静止画記録時は、輝度色差データはＲＡＭ制御回路２０３に入力される。ＲＡＭ制御回路２０３は、受け取ったデータをＲＡＭ１１３に記憶させる。変調回路２０４は、動画像処理回路１１１もしくは静止画表示回路１１２によって処理された輝度色差変換データをＮＴＳＣあるいはＰＡＬ等の規格化された搬送色信号を生成して表示部１１４に出力する。
【００２２】
外部記憶装置１１６は、ＲＡＭ１１３に記憶された画像ファイルを記憶するための不揮発性のメモリであり、半導体メモリあるいはハードディスクなどによって構成される。外部記憶装置１１６によって記憶された画像ファイルを読み出して表示部１１４に静止画像を表示させることも可能である。なお、外部記憶装置１１６は、撮像モードおよび再生モードにかかわらず画像データの読み書きが実行される任意のタイミングにおいて電力が供給される。
【００２３】
表示部１１４は、ＬＣＤなどによって構成され、撮像素子１０７によって現在撮像中の動画像あるいはＲＡＭ１１３によって記憶された静止画像を表示する。動画表示回路１１１は、撮像素子１０７によって現在撮像中の画像信号を連続的に表示部１１４に動画像表示させる処理を行う。また、静止画表示回路１１２は、ＲＡＭ１１３によって記憶された静止画像を表示部１１４において表示させる処理を行う。
【００２４】
水晶発振器１０１は、システム全体の動作基準となるクロック信号を生成する。タイミングジェネレータ１０３は、フリップフロップを用いた複数のゲート回路によって構成され、撮像素子１０７から画像データを読み出すために必要な水平転送パルスおよび垂直転送パルス信号などの読み出しクロック、デジタル画像信号処理回路１１０、動画表示回路１１１および静止画表示回路１１２において画像データを取り込んだり出力したりするときの基準となる画素クロック、アナログ画像信号処理回路１０８が有するサンプルホールド回路のサンプルホールドタイミング信号、Ａ／Ｄコンバータ１０９のサンプルタイミングとなるＡ／Ｄクロックのそれぞれを水晶発振器１０１から発振されるクロックに基づいて生成する。なお、生成された各クロック信号は同一のタイミングジェネレータによって生成されているので、それぞれのクロック信号の位相関係は一意に決定される。
【００２５】
また、分周器１０２は、画素クロックを生成して、デジタル画像信号処理回路１１０、動画表示回路１１１、静止画表示回路１１２など画像表示を行うための表示系に出力する。また、スイッチ１０４は、分周器１０２およびタイミングジェネレータ１０３からの画素クロックの出力を切換えるものである。
【００２６】
バッテリ１１５は、本実施の形態の撮像装置の各動作処理ブロックに電力を供給する。また、ダイヤルスイッチ１１７は、撮像モードあるいは画像再生モードを切換えるためのスイッチであり、スイッチ１０４、スイッチ１１８などモードに応じて所定の切換を施す。
【００２７】
図９は、本実施の形態の撮像装置の各部の電力供給のタイミングおよびクロック信号の出力切換えに関する動作処理フローチャートである。
【００２８】
ｓ１０１において、ダイヤルスイッチ１１７を操作することによって撮像モードに切り換えられた場合は、ｓ１０２に進み、スイッチ１１８がａ側に切換えられ、撮像を行うために必要なＥ１，Ｅ０の各ブロックのみに電力が供給される（図１１において、電力が供給されるブロックは、水晶発振器１０１タイミングジェネレータ１０３、アナログ画像信号処理回路１０８、Ａ／Ｄコンバータ１０９、デジタル画像信号処理回路１１０、分周器１０５、ＲＡＭ１１３、表示部１１４など）。さらに、スイッチ１０４がａ側に切換えられ、タイミングジェネレータ１０３によって生成された画素クロックがデジタル画像信号処理回路１１０などに供給される。
【００２９】
この撮像モードに設定されているとき、画素データのＡ／Ｄコンバータ１０９からの出力タイミングと画素クロックの出力タイミングは一意に決定される。なぜなら、画素クロックと同一のタイミングジェネレータ１０３によって生成されたクロックによって画素データが出力されるからである。例えばこのときにタイミングジェネレータ１０３から出力されるクロック信号を図６に示す。図６に示すように、デジタル信号処理回路１１０によって画素データをサンプリングするタイミングを画素クロックが立ち下がる瞬間に設定すれば、必ず適切に画素データをサンプリングすることができる。
【００３０】
さらに、撮像モードに設定されている場合、輝度色差変換処理ブロック２０２によって変換された画像データを動画表示回路１１１によって表示部１１４に現在撮像中の画像を表示させる。
【００３１】
ｓ１０３において、不図示のレリーズスイッチが操作されたことによって静止画記録指令が出力されると、現在電力が供給されているタイミングジェネレータ１０３によって出力された画素クロックをデジタル画像信号処理回路１１０などに出力する。輝度色差変換処理ブロック２０２において輝度色差変換処理及びデータ圧縮処理などが施された画像データは１フレームの画像ファイルとしてＲＡＭ１１３を介して外部記憶装置１１６に記憶される。
【００３２】
一方、ｓ１０１において画像再生モードが選択された場合は、ｓ１０５に進み、スイッチ１１８がｂに切換えられ、外部記憶装置１１６に記憶されている静止画像を表示するために必要なＥ２，Ｅ０の各ブロックのみに電力が供給される（図１において電力が供給されるブロックは、水晶発振器１０１、分周器１０２、デジタル画像信号処理回路１１０、静止画表示回路１１２、ＲＡＭ１１３、表示パネル１１４など）。さらに、スイッチ１０４はｂ側に切換えられ、現在電力が供給されている分周器１０２から生成される画素データは静止画表示回路１１２に出力される。そして予め外部記憶装置１１６からＲＡＭ１１３に読み出された画像データは、輝度色差変換処理ブロック２０２で伸長され、表示部１１４に静止画像を表示させる。この画像データの処理は、分周器１０２によって生成された画素クロックの出力のタイミングによって処理が行われる。
【００３３】
このように、画像再生モードのときには回路規模の小さい分周器１０２で画素クロックを生成し、タイミングジェネレータ１０３には電力を供給しておらず、動作の不必要な撮像素子１０７、アナログ画像信号処理回路１０８、Ａ／Ｄコンバータに対応するクロックパルスが生成されないので、電力の消費を削減することができる。
【００３４】
以上説明したように、本実施の形態によれば、撮像モードあるいは画像再生モードの双方の場合において、それぞれ不必要な撮像装置の構成に対して電力を供給していないので電力の消費を節減することができる。さらに、撮像モードの場合において、１つのタイミングジェネレータによって撮像装置の各ブロックに対してそれぞれクロックパルスを生成しているので、一意に撮像装置の各ブロックに対して生成されたクロックパルスの出力タイミング（位相）が決定され適切な画像データのサンプリングを行うことができる。
【００３５】
（第２の実施の形態）
本実施の形態の撮像装置の構成ブロック図を図２に示す。なお本実施の形態の撮像装置の動作処理は、不図示のシステムコントロール回路によって行われるものとする。なお、本実施の形態の撮像装置においてはデジタルスチルカメラを例に説明するが、動画を記録する撮像装置についても本実施の形態を適用することができる。なお、図２において、図１と同一の符号が示されたものは同様の処理をするものとしてその説明は省略する。
【００３６】
図２に示されている位相調整機能付分周器１１９は、図３に示すように分周器３０１、位相調整回路３０２，３０３，３０４およびスイッチ３０５によって構成されている。
【００３７】
図３において、位相調整機能付分周器１１９には、水晶発振器１０１が生成したクロック信号が入力信号ＣＬＫとして入力される。分周器３０１は、水晶発振器１０１からの入力信号の周期を長くする。スイッチ３０５は、静止画像を記憶するときにおいて、輝度色差信号を生成する処理を行う間にａ側に切替えられ、そのほかの状態の場合はｂ側に切替えられている。
【００３８】
さらに、スイッチ３０５の出力は位相調整回路３０２に入力される。位相調整回路３０２は、ＮＯＴゲート、ディレイ素子、セレクタ回路などによって構成されていて、入力信号から出力信号の間の遅延量を任意に設定することができる。位相調整回路３０２の出力信号ＴＧＣＬＫは、タイミングジェネレータ１０３に入力される。
【００３９】
タイミングジェネレータ１０３は、入力されたクロック信号ＴＧＣＬＫを基にして、撮像素子１０７に対しては垂直転送パルスおよび水平転送パルスを生成して画素データを読み出し実行させ、アナログ画像信号処理回路１０８に対してはサンプルホールドタイミング信号を生成して信号処理を実行させている。さらに、タイミングジェネレータ１０３によって垂直転送パルスおよび水平転送パルス、サンプルホールドタイミング信号との位相関係が一意に決定されたクロック信号が再び位相調整機能付分周器１１９のＴＧＭＣＫＯ端子に入力される。
【００４０】
ＴＧＭＣＫＯから入力された信号は、位相調整回路３０３，３０４に入力される。位相調整回路３０３，３０４は、位相調整回路３０２と同様にＮＯＴゲート、ディレイ素子、セレクタ回路などによって構成されている。
【００４１】
位相調整回路３０３から出力されたクロック信号は、ＡＤＣＬＫ端子からＡ／Ｄコンバータ１０９にサンプリングクロックとして供給される。また、位相調整回路３０４から出力されたクロック信号は、画素クロックとしてデジタル画像信号処理回路１１０、動画表示回路１１１に供給される。
【００４２】
以上の構成によって本実施の形態の撮像装置の各ブロックに出力されるクロック信号の位相が一意に決定されるので、適切な撮像動作および画像表示動作を実行することができる。
【００４３】
図１０は、本実施の形態の撮像装置の各部の電力供給のタイミングおよびクロック信号の出力切換えに関する動作処理フローチャートである。
【００４４】
ｓ２０１において、ダイヤルスイッチ１１７を操作することによって撮像モードに切り換えられた場合は、ｓ２０２に進み、スイッチ１１８がａ側に切換えられ、撮像を行うために必要なＥ１，Ｅ０の各ブロックに電力が供給される（図１１において、電力が供給されるブロックは、水晶発振器１０１タイミングジェネレータ１０３、アナログ画像信号処理回路１０８、Ａ／Ｄコンバータ１０９、デジタル画像信号処理回路１１０、分周器１０５、ＲＡＭ１１３、表示部１１４など）。さらに、スイッチ１０４がａ側に、スイッチ３０５がａ側に切換えられ、位相調整機能付分周器１１９によって生成された画素クロックがデジタル画像信号処理回路１１０などに供給される。
【００４５】
この撮像モードに設定されているとき、画素データのＡ／Ｄコンバータ１０９からの出力タイミングと画素クロックの出力タイミングは一意に決定される。第１の実施の形態と同様図６に示すように、デジタル信号処理回路１１０によって画素データをサンプリングするタイミングを画素クロックが立ち下がる瞬間に設定すれば、必ず適切に画素データをサンプリングすることができる。
【００４６】
さらに、撮像モードに設定されている場合、輝度色差変換処理ブロック２０２によって変換された画像データを動画表示回路１１１によって表示部１１４に現在撮像中の画像を表示させる。
【００４７】
現在撮像中の画像の表示処理を説明すると、フリップフロップ２０１は、Ａ／Ｄコンバータ１０９から入力される画像データを入力される画素クロックのタイミングによって回路内部にサンプリングし、ＲＡＭ制御回路２０３によりこれをＲＡＭ１１３に一旦記憶する（ｓ２０２ａ）。次にＲＡＭ制御回路２０３は、ＲＡＭ１１３上の画像データに対して垂直加算混合処理という処理を行う（ｓ２０２ｂ）。この垂直加算混合処理は、輝度色差変換処理の方法に対して画像データのフォーマットを適合させる処理であり、画像データを垂直方向に加算し、再びＲＡＭ１１３上に加算結果を書き戻すことによって達成する。さらにＲＡＭ制御回路２０３は、ＲＡＭ１１３上の画像データを読み出し、これを輝度色差変換処理ブロック２０２に入力し、さらに輝度色差変換処理ブロック２０２の出力をＲＡＭ１１３に再び記憶させる処理を行う。
【００４８】
ｓ２０３において、不図示のレリーズスイッチが操作されたことによって静止画記録指令が出力されると、ｓ２０４にすすみ、前述した輝度色差変換が開始可能かどうか確認する。輝度色差変換がブロック２０２によって開始されるが、ＲＡＭ制御回路２０３は、一画素の輝度色差データを生成するごとにＲＡＭ１１３に対して一回の読み出し動作と一回の書き込み動作を行う。したがって一画素の輝度色差データを生成する時間、すなわち画素クロックの周期はＲＡＭ１１３を一回の読み出しから一回の書き込みを行うまでの時間以上に設定される必要が生ずる。そのためｓ２０５スイッチ３０５をａ側に切換え、分周器３０１によって上述した画素クロックの周期がＲＡＭ１１３を一回の読み出しから一回の書き込みを行うまでの時間以上に設定される。
【００４９】
そして、ｓ２０５ａにおいて輝度色差変換が実行され、さらにｓ２０５ｂにおいて上述した処理によってメモリ１１３上に記憶された１画面分の輝度色差データの圧縮を行い、ｓ２０５ｃにおいて外部記憶装置１１６などの不揮発性のメモリに記憶され、静止画記憶動作が終了する。
【００５０】
一方、ｓ２０１において再生モードが選択された場合は、ｓ２０５に進み、スイッチ１１８がｂ、スイッチ３０５がｂ側に切換えられ、外部記憶装置１１６に記憶されている静止画像を表示するために必要なＥ２，Ｅ０の各ブロックに電力が供給される（図１において電力が供給されるブロックは、水晶発振器１０１、分周器１０２、デジタル画像信号処理回路１１０、静止画表示回路１１２、ＲＡＭ１１３、表示パネル１１４など）。さらに、スイッチ１０４はｂ側に切換えられ、現在電力が供給されている分周器１０２から生成される画素データを静止画表示回路１１２に出力する。そして予め外部記憶装置１１６からＲＡＭ１１３に読み出された画像データを分周器１０２から生成された画素クロックの出力に応じて取り込み、表示部１１４に静止画像を表示させる。
【００５１】
以上説明したように、本実施の形態によれば、撮像モードあるいは再生モードの双方の場合において、それぞれ不必要な撮像装置の構成に対して電力を供給していないので電力の消費を節減することができる。さらに、撮像モードの場合において、撮像装置の各ブロックに対してそれぞれクロックパルスの位相を調整することが可能であるので、一意に撮像装置の各ブロックに対して生成されたクロックパルスの出力タイミング（位相）が決定され適切な画像データのサンプリングを行うことができる。
【００５２】
【発明の効果】
以上説明したように、本発明の撮像装置によれば、被写体の撮像時あるいは再生時の双方の場合において、それぞれ不必要な撮像装置の構成に対して電力を供給していないので電力の消費を節減することができる。さらに、被写体を撮像する場合において、一意に撮像装置の各ブロックに対して生成されたクロックパルスの出力タイミング（位相）が決定され適切な画像データのサンプリングを行うことができるので適切な画像の処理を可能とする。
【図面の簡単な説明】
【図１】第１の実施の形態における撮像装置の構成ブロック図。
【図２】第１の実施の形態における撮像装置の構成ブロック図。
【図３】位相調整機能付分周器の構成図。
【図４】従来の撮像装置の構成ブロック図。
【図５】従来の撮像装置の構成ブロック図。
【図６】第１、第２の実施の形態において各ブロックへ出力されるクロックパルスのなどの位相関係の一例を示す図。
【図７】従来の撮像装置の構成において各ブロックへ出力されるクロックパルスのなどの位相関係の一例を示す図。
【図８】デジタル画像信号処理回路の構成を示す図。
【図９】第１の実施の形態の撮像装置の各部の電力供給のタイミングおよびクロック信号の出力切換えに関する動作処理フローチャート。
【図１０】第２の実施の形態の撮像装置の各部の電力供給のタイミングおよびクロック信号の出力切換えに関する動作処理フローチャート。
【符号の説明】
１０１  水晶発振器
１０２  分周器
１０３  タイミングジェネレータ
１０４  スイッチ
１０６  スイッチ
１０７  撮像素子
１０８  アナログ画像信号処理回路
１０９  Ａ／Ｄコンバータ
１１０  デジタル画像信号処理回路
１１１  動画表示回路
１１２  静止画表示回路
１１３  ＲＡＭ
１１４  表示部
１１５  バッテリ
１１６  外部記憶装置
１１７  ダイヤルスイッチ
１１８  スイッチ
１１９  位相調整機能付分周器
３０１  分周器
３０２  分周器
３０３  分周器
３０４  分周器
３０５  スイッチ
【図１】
0003789037.tif 000002
【図２】
0003789037.tif 000003
【図３】
0003789037.tif 000004
【図４】
0003789037.tif 000005
【図５】
0003789037.tif 000006
【図６】
0003789037.tif 000007
【図７】
0003789037.tif 000008
【図８】
0003789037.tif 000009
【図９】
0003789037.tif 000010
【図１０】
0003789037.tif 000011